【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
アクセスネットワーク用の装置であって、該装置は第一のページングチャネル上に、該ネットワーク内のアクセス端末に対する第一のページメッセージを生成し、該装置は、
ネットワーク活動のインディシアを受信し、受信することに応答して、該アクセス端末に対するページ値を出力する決定器であって、該ページ値はネットワーク活動に基づいている、決定器と、
該決定器に連結され、該第一のページメッセージを該アクセス端末に送信される第一の数のページ表示でポピュレートするように構成されたページ表示ポピュレータであって、該第一のページメッセージは該ページ値に基づいている、ページ表示ポピュレータと、
該ページ値を受信し、該第一の数のページ表示に等しい第一の数のハッシュ値を生成するように構成されたハッシャであって、各ハッシュ値は、該ページ表示ポピュレータが、該第一のページメッセージを該第一のページ表示のうちのそれぞれ１つで、どこにポピュレートするかの決定要因である、ハッシャと
を備えている、装置。
【請求項２】
前記第一のページメッセージ内のハッシュ値の数は、２より大きい、請求項１に記載の装置。
【請求項３】
前記ページメッセージ内のページ表示の数は、２より大きい、請求項１に記載の装置。
【請求項４】
前記第一のページメッセージは、複数のページ表示ロケーションを含むようにフォーマットされ、
前記ハッシャによって生成された各ハッシュ値は、前記ページ表示ポピュレータが、ページ表示でポピュレートする前記第一のページメッセージ中のロケーションの決定要因である、請求項１に記載の装置。
【請求項５】
前記ハッシャによって生成された前記ハッシュ値は、前記第一のページメッセージの前記複数のページ表示ロケーションと、数について対応する値の範囲内の値の数である、請求項４に記載の装置。
【請求項６】
前記ハッシャによって生成されたハッシュ値の数は、複数のハッシュ値を備え、
該ハッシュ値は、前記ページ表示ロケーションの前記数の値の前記範囲にわたって、実質的に均一に分布される、請求項５に記載の装置。
【請求項７】
前記第一のページメッセージは、第一の複数のページ指示ロケーションの第一のグループと、第二の複数のページ表示ロケーションの少なくとも第二のグループとを含むようにフォーマットされ、
ページ表示の数は、１つの第一のページ表示と、少なくとも１つの第二のページ表示とを含む、請求項４に記載の装置。
【請求項８】
前記ハッシャは、１つの第一のハッシュ値と少なくとも１つの第二のハッシュ値とを生成し、
該第一のハッシュ値は、前記ページ表示ポピュレータに、前記第一のページ表示で、前記第一のグループのページ表示ロケーションをポピュレートさせ、
該第二のハッシュ値は、該ページ表示ポピュレータに、該第二のページ表示で、前記第二のグループのページ表示ロケーションをポピュレートさせる、請求項７に記載の装置。
【請求項９】
前記ハッシャは、入力数に対して、ハッシュ関数を実行するように構成され、
該ハッシャによって生成される各ハッシュ値は、該入力数に対して、該ハッシュ関数を実行することによって提供される、請求項１に記載の装置。
【請求項１０】
前記ハッシャは、前記入力数の第一の組み合わせに対して、前記ハッシュ関数を実行することによって、前記第一のハッシュ値を生成し、該入力数の第二の組み合わせに対して、該ハッシュ関数を実行することによって、前記第二のハッシュ値を生成する、請求項９に記載の装置。
【請求項１１】
前記ハッシャが前記ハッシュ関数を実行する前記入力数は、擬似乱数を備える、請求項９に記載の装置。
【請求項１２】
前記ハッシャによって生成されたハッシュ値は、時間に依存する、請求項１に記載の装置。
【請求項１３】
前記ハッシャによって生成された前記複数のハッシュ値のそれぞれは、非類似な値である、請求項１に記載の装置。
【請求項１４】
前記ハッシャは、事前に選択された複数のハッシュ値を識別するように構成された識別子をさらに備え、
該ハッシャは、事前に選択された１つのハッシュ値と等しいハッシュ値をその後生成することを禁止する、請求項１３に記載の装置。
【請求項１５】
前記ハッシャによって生成されたハッシュ値の数は、ハッシュの設定数を含む、請求項１に記載の装置。
【請求項１６】
第一のページングチャネル上で第一のページメッセージを受信するアクセス端末用の装置であって、該装置は、
シグナル伝達メッセージ検出器および分析器であって、該シグナル伝達メッセージ検出器および分析器は、アクセスネットワークからのシグナル伝達メッセージのコンテンツを検出し、該シグナル伝達メッセージ検出器および分析器は、該シグナル伝達メッセージを分析して、該シグナル伝達メッセージから、該アクセスネットワークに送信される第一の数のハッシュ値を確認し、該第一の数のハッシュ値は、該アクセスネットワーク内の活動に基づいて決定される、シグナル伝達メッセージ検出器および分析器と、
該シグナル伝達メッセージに応答して、第一の数のハッシュ値の出力を生成するように構成されたハッシャと、
該第一のページメッセージをポピュレートするページ表示の値を検出するように構成されたページメッセージ検出器であって、該ハッシャによって生成された該ハッシュ出力は、該ページ表示の該値を検出するために、該ページメッセージ検出器は、該第一のページメッセージの場所を識別するために使用される、ページメッセージ検出器と
を備えている、装置。
【請求項１７】
前記ハッシャによって生成されたハッシュ値の前記選択された数は、２より大きい、請求項１６に記載の装置。
【請求項１８】
アクセスネットワークにおいて、ネットワーク活動に基づいて、第一の数のハッシュ値を生成する動作と、
第一のページメッセージを第一の数のページ表示でポピュレートする動作であって、該ページ表示の数は、ハッシュ値の数に対応し、該第一のページメッセージ中の該第一のページ表示のロケーションは、該生成する動作の間に生成された該第一の数のハッシュ値によって決定される、動作と、
該第一のページメッセージをページ表示の数でポピュレートすることに引き続き、該第一のページメッセージをアクセス端末に送信する動作と
を包含する、ページングするための方法。
【請求項１９】
前記アクセス端末において、前記第一のページメッセージの全てを送達することに引き続き、該アクセス端末で、該第一のページメッセージを検出する動作をさらに包含する、請求項１８に記載の方法。
【請求項２０】
前記アクセスネットワークにおいて生成されたハッシュ値の数と同数のハッシュ出力を、前記アクセス端末において、生成する動作をさらに包含する、請求項１９に記載の方法。
【請求項２１】
前記第一のページメッセージ内のロケーションにおいて、ページ表示の値を決定する動作をさらに包含し、該ページ表示は、前記アクセス端末において、前記ハッシャによって生成された前記ハッシュ出力によって識別される、請求項２０に記載の方法。
【請求項２２】
前記アクセスネットワークにおいてハッシュ値を生成する動作および前記アクセス端末においてハッシュ出力を生成する動作は、同一の態様で実行される、請求項２０に記載の方法。
【請求項２３】
前記第一のページメッセージの中にポピュレートされる前記ページ表示は、第二のページメッセージの生成に従って、該第一のページメッセージの中にポピュレートされる、請求項２１に記載の方法。
【請求項２４】
第一のページングチャネル上で第一のページメッセージを生成するアクセスネットワーク用の装置であって、該装置は、
第一のページメッセージを生成するように構成されたシグナル伝達メッセージ生成器であって、該第一のページメッセージは、複数のグループのページロケーションに分割される、シグナル伝達メッセージ生成器と、
該第一のページメッセージを、アクセス端末をページングするために用いられるページ表示の数でポピュレートするように構成されているページ表示ポピュレータであって、該ページ表示の各々は、該複数のグループのページ表示ロケーションのうちの異なるロケーションにおいてポピュレートされる、ページ表示ポピュレータと
を備えている、装置。
【請求項２５】
複数のハッシュ値を生成するように構成されたハッシャをさらに備え、各ハッシュ値は、前記ページ表示ポピュレータが、前記第一のページメッセージを該複数のページ表示のうちの１つでポピュレートする、請求項２４に記載の装置。
【請求項２６】
前記表示の数は２よりも大きい、請求項２５に記載の装置。
【請求項２７】
前記ハッシャによって生成された前記ハッシュ値は、複数の値の範囲内にあり、該範囲内の値の数は、前記複数のグループのページ表示ロケーションのそれぞれの中の複数のページ表示ロケーションと数で対応する、請求項２５に記載の装置。
【請求項２８】
前記ハッシャによって生成されたハッシュ値の数は、複数のハッシュ値を含み、該ハッシュ値は、前記第一のページメッセージ内の前記複数のグループのページ表示ロケーションの各々にわたって実質的に均一に分散される、請求項２７に記載の装置。
【請求項２９】
前記第一のページメッセージは、１つの第一のグループの第一の複数のページ表示ロケーションと、少なくとも１つの第二のグループの第二の複数のページ表示ロケーションとを含み、ページ表示の数は、１つの第一のページ表示と、少なくとも１つの第二のページ表示とを含む、請求項２４に記載の装置。
【請求項３０】
前記ハッシャは、１つの第一のハッシュ値と、少なくとも１つの第二のハッシュ値とを生成し、該第一のハッシュ値は、前記ページ表示ポピュレータに、前記第一のページ表示で、前記第一のグループのページ表示ロケーションをポピュレートさせ、
該第二のハッシュ値は、該ページ表示ポピュレータに、該第二のページ表示で、前記第二のグループのページ表示ロケーションをポピュレートさせる、請求項２９に記載の装置。
【請求項３１】
前記ハッシャは、入力数に対して、ハッシュ関数を実行するように構成され、
該ハッシャによって生成される各ハッシュ値は、該入力数に対して、該ハッシュ関数を実行することによって提供される、請求項２４に記載の装置。
【請求項３２】
前記ハッシャは、前記入力数の第一の組み合わせに対して、前記ハッシュ関数を実行することによって、前記第一のハッシュ値を生成し、該入力数の第二の組み合わせに対して、該ハッシュ関数を実行することによって、前記第二のハッシュ値を生成する、請求項３１に記載の装置。
【請求項３３】
前記ハッシャが前記ハッシュ関数を実行する前記入力数は、擬似乱数を含む、請求項３１に記載の装置。
【請求項３４】
前記ハッシャによって生成されたハッシュ値は、時間に依存する、請求項２４に記載の装置。
【請求項３５】
前記ハッシャによって生成された前記複数のハッシュ値のそれぞれは、非類似な値である、請求項２４に記載の装置。
【請求項３６】
前記ハッシャは、事前に選択された複数のハッシュ値を識別するように構成された識別子をさらに備え、
該ハッシャは、事前に選択された１つのハッシュ値と等しいハッシュ値をその後生成することを禁止する、請求項３５に記載の装置。
【請求項３７】
前記ハッシャによって生成されたハッシュ値の数は、ハッシュの設定数を含む、請求項２５に記載の装置。
【請求項３８】
第一のページングチャネル上で第一のページメッセージを受信するアクセス端末用の装置であって、該装置は、
複数のハッシュ値を生成するように構成されたハッシャと、
該第一のページメッセージをポピュレートするページ表示の値を検出するように構成されたページ表示検出器であって、該ハッシャによって生成された該ハッシュ値は、該ページ表示の該値を検出するために、該ページ表示検出器は、該第一のページメッセージの場所を識別するために使用され、該第一のページメッセージは、複数のグループのページ表示ロケーションに分割され、該ページ表示検出器は、該複数のグループのページ表示ロケーションの各々において、ページ表示を検出するように構成されている、ページ表示検出器と
を備えている、装置。
【請求項３９】
前記ハッシャによって生成されたハッシュ値の数は、一定の数を含む、請求項３８に記載の装置。
【請求項４０】
前記ハッシャによって生成されたハッシュ値の数は、シグナル送達メッセージから得られる、請求項３８に記載の装置。
【請求項４１】
第一のページメッセージを生成する動作であって、該第一のページメッセージは、複数のグループのページ表示ロケーションに分割される、動作と、
アクセスネットワークにおいて、複数のハッシュ値を生成する動作と、
第一のページメッセージを、アクセス端末をページングするために用いられる複数のページ表示でポピュレートする動作であって、該ページ表示でポピュレートされた該第一のページメッセージのロケーションは、生成する動作の間に生成された該ハッシュ値によって決定され、該第一のページメッセージの各グループにわたって分散される、動作と、該第一のページメッセージをページ表示の数でポピュレートした後で該第一のページメッセージを送信する動作と
を包含する、ページングするための方法。
【請求項４２】
アクセス端末における方法であって、該方法は、
アクセス端末において、第一のページメッセージを受信する動作であって、該第一のページメッセージは複数のグループのページ表示ロケーションに分割され、該第一のページメッセージは、該複数のグループのページ表示ロケーションの各々にわたり分散された複数のページ表示でポピュレートされる、動作と、
複数のハッシュ値を生成する動作と、
該複数のグループのページ表示ロケーションの各々内のページ表示ロケーションにおける該第一のページメッセージ内でページ表示を検出する動作と、
該検出されたページ表示が、該アクセス端末がページングされないことを示している場合にはスリープ状態に入る動作と
を包含する、方法。